(57)【要約】【課題】  本発明は、十分な長さのレールが敷設できない限られたスペースにおいても、車長の長い大型車両の洗浄ができるよう、洗車装置本体の走行距離を拡張できるように改良したものである。【解決手段】レール３・３に沿って自動車Ａを跨ぐように走行する門型の洗車装置本体１を設け、該洗車装置本体１の走行に伴い自動車Ａを洗浄するタイプの洗車装置において、洗車装置本体１はレール３・３上を移動する第１の車輪２ａの他に、該レール３・３以外の設置面で移動する第２の車輪２ｃを設け、第１の車輪２ａと第２の車輪２ｃとの前後位置の差に応じ、洗車装置本体１をレール３・３の設置範囲よりも走行可能にしたものである。【選択図】図２
2020132030.tif 000002
【特許請求の範囲】
【請求項１】
レールに沿って自動車を跨ぐように走行する門型の洗車装置本体を設け、該洗車装置本体の走行に伴い自動車を洗浄するタイプの洗車装置において、洗車装置本体はレール上を移動する第１の車輪の他に、該レール以外の設置面で移動する第２の車輪を設け、第１の車輪と第２の車輪との前後位置の差に応じ、洗車装置本体をレールの設置範囲よりも走行可能にしたことを特徴とする洗車装置。
【請求項２】
請求項１記載の洗車装置において、洗車装置本体及びそのレールは建屋内に設置されており、通常は建屋内にて洗車動作するものであり、通常より大型の車両を洗浄する場合には、洗車装置本体を建屋よりはみ出る位置まで走行可能にしたことを特徴とする洗車装置。
【発明の詳細な説明】
【技術分野】
【０００１】
この発明は、レール上を自動車を跨ぐように走行する門型の洗車装置本体を設け、該洗車装置本体の走行に伴い自動車を洗浄するタイプの洗車装置において、洗車装置本体をレール前端よりも所定距離前方まで走行可能とし、レールの設置距離を短縮できる装置を提供するものである。
【背景技術】
【０００２】
従来、この種の装置として特許文献１・２に記載されるように、レール上を自動車を跨ぐように走行する門型の洗車装置本体を設け、該洗車装置本体の走行に伴い自動車を洗浄するタイプの洗車装置が知られている。また、同文献に記載されるように、レール上を回動する車輪の他に、レール以外の設置面を回動する車輪を設けた装置が知られている。
【先行技術文献】
【特許文献】
【０００３】
【特許文献１】実開昭６２−１４５７６８号公報
【特許文献２】特開平４−１９２５４号公報
【発明の概要】
【発明が解決しようとする課題】
【０００４】
この種の洗車装置にあって、限られたスペースに設置する関係で十分な長さのレールを敷設することができず、車長の長い大型車両の洗浄ができないなど、使用に制限が生じる場合があった。例えば、寒冷地等で洗車装置を建屋内に設ける場合に、レールの長さは建屋のサイズ以内に制限されてしまい、必要十分な長さのレールを敷設しようとすると、レールが建屋から外にはみ出してしまい、建屋をシャッターで密閉できないなどの不都合が生じていた。また、特許文献１・２に記載される装置では、洗車装置本体を走行させる車輪が左右で異なるものとなり、左右で形状等の異なる車輪を同じ周速に調整して駆動する必要があるなど、実施するには容易ならざる問題があった。
【０００５】
この発明は、上記の問題点に対処して、十分な長さのレールが敷設できなくても、車長の長い大型車両の洗浄ができるよう、洗車装置本体の走行距離を拡張できるように改良したものである。
【課題を解決するための手段】
【０００６】
この発明は、洗車装置本体はレール上を移動する第１の車輪の他に、該レール以外の設置面で移動する第２の車輪を設け、第１の車輪と第２の車輪との前後位置の差に応じ、洗車装置本体をレールの設置範囲よりも走行可能にしたことで、上記課題の解決をはかったものである。
【発明の効果】
【０００７】
この発明は、以上のように構成することで、十分な長さのレールが敷設できなくても、洗車装置本体をレールの設置範囲よりも走行可能にしたことで、車長の長い大型車両の洗浄もできるようにしたものである。これにより、洗車装置を建屋内に設ける場合にも、レールが建屋から外にはみ出してしまいうといった不都合を回避することができる。
【図面の簡単な説明】
【０００８】
【図１】本発明の洗車装置を示す正面図である。
【図２】同装置の側面図である。
【図３】実施例の動作例を説明する側面説明図である。
【発明を実施するための形態】
【０００９】
以下、図面を基に、本発明の実施態様について説明する。図１は本発明の洗車装置を示す正面図、図２は同側面図である。
１は洗車装置本体で、洗車する車両Ａを跨ぐように門型に形成され、正転逆転可能な走行モータ４・４により、駆動輪２ａ・２ａを回転駆動してレール３・３に沿って往復走行する。２ｂ・２ｂは洗車装置本体１後方に位置する従動輪で、本体１の走行に伴いレール３・３上を回動する。また、２ｃ・２ｃは洗車装置本体１前端に位置する従動輪で、本体１の走行に伴いレール３・３の設置面上を回動する。このように、洗車装置本体１は、駆動輪２ａ・２ａと従動輪２ｂ・２ｂとでレール３・３で形成する軌道に沿って走行するものであり、また従動輪２ｃ・２ｃにより洗車装置本体１をレール３・３の軌道より一定距離Ｌだけ外側へはみ出た位置まで走行可能とされている。前記一定距離Ｌは、駆動輪２ａ・２ａと従動輪２ｃ・２ｃとの前後位置の差により定まるものであり、駆動輪２ａ・２ａと従動輪２ｃ・２ｃの位置関係を変えることで距離Ｌを調整することができる。
【００１０】
Ｈは建屋で、洗車装置本体１をレール３・３上に沿って走行させる洗車スペースをその内部に形成するもので、車両Ａの出入り口にはシャッターＳを設け、洗車休止時にはシャッターＳを下ろして洗車スペースを密閉することができる。このように、洗車スペースを建屋内に形成することで、洗車に伴う洗浄水の飛散や騒音の拡散を抑止することができ、また洗車スペースを風雨や寒冷等の気象条件に対するバリアとなって、周囲の環境や天候に影響されることなく安定した品質の洗車効サービスを提供することができる。なお、レール３・３は建屋ＨのシャッターＳの内側に収まる長さとされているが、洗車機本体１は、図２の破線で示した位置のとおり、建屋Ｈより外へはみ出た位置まで走行できるよう構成されている。
【００１１】
５はトップブラシで、洗車装置本体１に昇降自在に設けられ、主に車両Ａの上面をブラッシングする。６・６はサイドブラシで、洗車装置本体１に相互に開閉するよう設けられ、主に車両Ａの前後面及び側面をブラッシングする。なお、洗車装置本体１には、特に図示しないが、上記以外に車両Ａに向けて洗浄水を放出する散水ノズルを複数備え、洗車に際しては洗浄水を散布しつつ車体面をブラッシング洗浄する。７はトップノズルで、洗車装置本体１に昇降自在に設けられ、主に車両Ａの上面に空気を噴射させて洗浄水を除去し乾燥をはかる。８・８はサイドノズルで、主に車両Ａの側面に空気を噴射させて洗浄水を除去し乾燥をはかる。
【００１２】
９はリミットスイッチで、洗車装置本体１の脚部下端に設けられ、前記レール３の前端及び後端付近に設置したドッグ３ａ・３ｂに接触して洗車装置本体１の前進及び後進の限界位置を検出する。ここでは、リミットスイッチ９がドッグ３ａに接触すると走行後端位置が検出され、ドッグ３ｂに接触すると走行前端位置が検出されるものである。１０は洗車装置本体１の前面に設けられる操作パネルである。
【００１３】
以上のように構成される実施例において、その動作例を図３を用いて説明する。洗車装置本体１は、通常、建屋Ｈ奥側（図３左側）のレール３・３後端位置に停止している。ここで、洗車する車両Ａをレール３・３間に進入させ、その前端を洗車装置本体１前面位置に合わせて停車させ、操作パネル１０において洗車メニューを選択し開始入力することで、洗車が開始される。
【００１４】
こうして開始される洗車動作において、車両Ａが図３（ａ）のように通常サイズの乗用車であれば、洗車装置本体１は、車両Ａの後端をサイドブラシ６・６でブラシ洗浄し終える位置までの間を往復走行して洗車を行い、終始、建屋Ｈ内で洗車が実行される。一方、図３（ｂ）のようにロングボディのワゴン車の場合、本社装置本体１が建屋Ｈよりはみ出る位置まで走行して、車両Ａの後端をサイドブラシ６・６でブラシ洗浄し終える位置まで洗浄するよう動作する。
【００１５】
この実施例は以上のように構成されるもので、レール３・３の敷設や建屋Ｈのサイズを通常の乗用車に合わせて設定しても、ロングボディのワゴン車のように通常よりの大型の車両を洗車する場合は、洗車装置本体１を建屋Ｈの外側まで走行させて洗車を完了できるもので、洗車場設備を省スペースで安価に構築できるものである。なお、この発明は上記の実施例に限定されるものでなく、様々な態様が考えられる。例えば、上記実施例ではレール３上を駆動輪２ａ・２ａと従動輪２ｂ・２ｂとの２対の車輪を走行させているが、直進性を確保した上で１対の駆動輪だけをレール上で走行させるようにすることもできる。また、建屋Ｈのない露天の状態で使用する場合であっても、設置場所の制約で十分な長さのレールを敷設できない場所で効果を発揮するものである。
【符号の説明】
【００１６】
１  洗車装置本体
２ａ・２ａ  駆動輪
２ｂ・２ｂ・２ｃ・２ｃ  従動輪
３・３  レール
５  トップブラシ
６・６  サイドブラシ
Ａ  車両
Ｓ  シャッター
Ｈ  建屋
【図１】
2020132030.tif 000003
【図２】
2020132030.tif 000004
【図３】
2020132030.tif 000005